(57)【要約】【課題】芳香を放出する置物本体を置き場所に直接に接触させずに設置することができ、長期間に亘って室内装飾用としても活用することができるようになる放香性置物を提供する。【解決手段】柄模様を有して放香性を発揮する置物本体１０と、厚紙などで作られた台座２０と、台座２０の上で置物本体１０を起立姿勢で保持固定させるための固定手段３０とからなる。置物本体１０を平板状に形成し、固定手段３０は、台座２０に切り起こされた立上り片３１に、置物本体１０を差し込むスリット３２を形成してなる。【選択図】        図１
0003190959.tif 000002
【実用新案登録請求の範囲】
【請求項１】
柄模様を有して放香性を発揮する置物本体と、厚紙などで作られた台座と、この台座に具備されて当該台座の上で上記置物本体を起立姿勢で保持固定させるための固定手段と、からなることを特徴とする放香性置物。
【請求項２】
上記置物本体が平板状に形成されていて、上記固定手段が、上記台座に切り起こされた立上り片に、上記置物本体の端縁部が差し込まれるスリットを形成してなる請求項１に記載した放香性置物。
【請求項３】
上記台座は、上記置物本体を封入したパッケージの片側に重なり状に配備されてそのパッケージと共に陳列される台紙の一部を切り取ることによって形成されている請求項１又は請求項２のいずれか１項に記載した放香性置物。
【考案の詳細な説明】
【技術分野】
【０００１】
本考案は、放香性置物、特に、芳香を放出したり室内臭気を吸収したりする機能を発揮する置物本体を、長期間に亘って室内装飾用としても活用することができるようにするための対策が講じられている放香性置物に関する。
【背景技術】
【０００２】
室内に芳香を放出したり室内の臭気を吸収したりする機能を発揮する芳香紙は従来より種々提案されている（たとえば、特許文献１参照）。
【０００３】
上掲の特許文献１によって提案されている芳香紙は、アニメーションやキャラクターなどの図形を印刷した台紙本体に芳香剤を含浸させていると共に、その芳香紙の上部に貫通孔を具備させてある。このものは、所謂吊下げタイプの放香性商品であり、芳香紙の貫通孔に通したゴムや糸で、その芳香紙を自動車の車内に吊り下げて使用することを前提としている。
【先行技術文献】
【特許文献】
【０００４】
【特許文献１】実用新案登録第３０６０２８０号公報
【考案の概要】
【考案が解決しようとする課題】
【０００５】
しかしながら、上掲の特許文献１によって提案されているような吊下げタイプの放香性商品には、製造者、企画・デザイン面、販売者、消費者などにとって次に説明するようなデメリットが存在していた。
【０００６】
・製造者にとってのデメリット
吊下げタイプの放香性商品では、吊下げ用のゴムや糸といった余分な資材が必要になるだけでなく、台紙本体の製造工程に、ゴムや糸を通すための貫通孔を開ける工程が余分に必要になるので、見かけの割りにコストが高くつくという問題があった。
【０００７】
・企画・デザイン面でのデメリット
吊下げタイプの放香性商品、特に自動車のフロントガラスの近くのバックミラーなどに吊り下げて使用するものでは、その使用方法に鑑み、運転に支障をきたさない範囲でそのサイズを選定しておく必要があるため、放香性商品の存在感などを高めるためにサイズを大きくすることには無理があった。
【０００８】
・販売者にとってのデメリット
吊下げタイプの放香性商品は、市場でもカー用品店やそれに準じた商品の売場に陳列されていて、その用途の大半が、自動車のバックミラーなどに吊り下げて使用するものである、というイメージを消費者に持たせ、実際にそのイメージに従って生産、販売、使用されるという事実があった。そのため、自動車以外での使用を考慮したデザイン、使用目的の自由度の拡張という点から見て満足できるものではなかった。
【０００９】
・消費者にとってのデメリット
吊下げタイプの放香性商品は、自動車で使用してその車内に芳香を放出したり車内の消臭を行ったりするという機能的側面が強調された商品であるだけでなく、吊り下げ場所が限定されていたために、芳香の放出機能や消臭機能の持続期間が終わって初期の期待した機能が発揮されなくなってしまうと、優れた装飾性を発揮するデザインを備えているとしても、結果的には、捨てざるを得なかった。また、吊り下げるためのゴムや糸、紐を通している貫通孔が、当該商品のデザイン性を損なうことも多かったので、初期の期待した機能が発揮されなくなってしまうと、当該商品を装飾のためだけに使用するという選択肢をとりにくかった。
【００１０】
以上のように、特許文献１によって提案されているような吊下げタイプの放香性商品には、製造者、企画・デザイン面、販売者、消費者にとっての種々のデメリットが存在していた。
【００１１】
本考案は以上の状況に鑑みてなされたものであり、製造者、企画・デザイン面、販売者、消費者にとっての上掲の数々のデメリットのほとんどを解消することのできる置き型タイプの放香性商品、具体的には放香性置物を提供することを目的としている。
【課題を解決するための手段】
【００１２】
本考案に係る放香性置物は、柄模様を有して放香性を発揮する置物本体と、厚紙などで作られた台座と、この台座に具備されて当該台座の上で上記置物本体を起立姿勢で保持固定させるための固定手段と、からなる、というものである。
【００１３】
この放香性置物は、吊下げタイプを採用しておらず、台座に放香性を発揮する置物本体を起立姿勢で保持固定させるという自立タイプないし置き型タイプを採用している。そのため、置き場所に置物本体の香りが移ったり、置物本体に含浸されている芳香剤などが置き場所に染み出て汚したりするといった事態が起こらないという利点がある。
【００１４】
そして、製造者にとっては、吊下げ用のゴムや糸などの余分な資材が不要であり、製造工程中に置物本体に貫通孔を開ける工程を含ませることも不要になり、それだけコストを削減することが容易になる。
【００１５】
また、企画・デザイン面では、自立タイプないし置き型タイプを採用したので、使用場所が自動車の車内に限定されることはなく、自動車の車内は勿論、住宅の玄関口、リビングといった様々な場所での使用が可能になる。しかも、柄模様を有して放香性を発揮する置物本体のサイズが、吊下げタイプのもののように自動車の運転に支障をきたさない範囲に制限されるということがなくなり、生産設備の許容限界範囲に応じて、様々な使用場所に合わせたデザインやサイズを制限なく選定することが可能になる。その結果、使用場所での放香性置物の存在感などを高めるためにサイズを大きくすることも容易に許容されるようになり、今までになかった用途に適する放香性置物を提供することができるようになる。
【００１６】
さらに、販売者にとっては、カー用品であることのイメージを払拭することが可能になり、新しいマーケット・企画を創造することが可能になる。
【００１７】
さらに、消費者にとっては、自立型で置き型タイプであることにより、置物本体による芳香の放出機能や消臭機能の持続期間が終わって初期の期待した機能が発揮されなくなってしまったとしても、その置物本体を、廃棄することなく、室内装飾のためなどのために長く使用することができるという利点もある。
【００１８】
本考案では、上記置物本体が平板状に形成されていて、上記固定手段が、上記台座に切り起こされた立上り片に、上記置物本体の端縁部が差し込まれるスリットを形成してなる、という構成を採用することが可能である。この構成を備えた放香性置物は、台座の上で置物本体を起立姿勢で保持固定させるための固定手段が、台座に切り起こされた立上り片にスリットを具備させることによって形成されているので、吊下げ型の放香性商品のように吊り下げるためのゴムや糸、紐などが不要であり、しかも、置物本体に紐などを通すための貫通孔を開けておく必要がない。そのため、置物本体のデザインが貫通孔によって損なわれるような事態が起こらない。
【００１９】
本考案において、上記台座は、上記置物本体を封入したパッケージの片側に重なり状に配備されてそのパッケージと共に陳列される台紙の一部を切り取ることによって形成されている、という構成を採用することが可能である。この構成を採用すると、放香性を発揮する置物本体と共に台座をパッケージに入れておく必要がないので、陳列中に台座に置物本体から放出される芳香が移るという事態が起こらない。
【００２０】
本考案に係る放香性置物によって発揮される他の作用などは、後述する実施形態によっていっそう明らかになる。
【考案の効果】
【００２１】
以上説明したように、本考案によれば、製造者、企画・デザイン面、販売者、消費者にとっての上掲の数々のデメリットのほとんどを解消することが可能になる。
【図面の簡単な説明】
【００２２】
【図１】本考案の実施形態に係る放香性置物を概略的に示した分解斜視図である。
【図２】同放香性置物の使用状態を示した斜視図である。
【図３】商品陳列形態の概略側面図である。
【図４】台紙の正面図である。
【考案を実施するための形態】
【００２３】
図１は本考案の実施形態に係る放香性置物を概略的に示した分解斜視図、図２は同放香性置物の使用状態を示した斜視図である。
【００２４】
この放香性置物は、置物本体１０と、台座２０と、台座２０の上で置物本体１０を起立姿勢で保持固定させるための固定手段３０、とからなる。
【００２５】
図例の置物本体１０は、柄模様を有する紙類などで平板状に形成されていて、その置物本体１０には、たとえば芳香剤が含浸されている。置物本体１０に含浸されている芳香剤は、置物本体１０が弱い風（空気流）に晒されることなどによって芳香成分を放出する。そのため、置物本体１０が住宅の室内や玄関口、自動車の車内などに置かれていると、その置物本体１０から放出される芳香成分によって室内や車内に芳香が発散される。したがって、置物本体１０はエアーフレッシュナーとしての機能を果たす。置物本体１０の素材には、吸水（液）性を備えた多孔性素材、たとえば、厚手の吸水性を備えた紙類のほか、樹脂製の多孔性板体、剛性を備えた厚手の不織布、木製の平板材などを適宜採用することが可能である。
【００２６】
置物本体１０には柄模様が施されている。この柄模様には、実在又は架空の建物や人物、動物、観光地やテーマパーク、ペーパークラフトアイテム、アニメキャラクター、などをあしらったデザインが含まれ、その表現態様には、置物本体１０の輪郭形状を図例のように柄模様の輪郭に一致させたものや、置物本体１０の板面に柄模様を描画又は印刷したものなど、種々の態様が含まれる。
【００２７】
置物本体１０のサイズは特に限定されず、生産設備の許容範囲内であれば、大形であっても、中型あるいは小形であってもよい。たとえば、香り付きのクリスマスカードというような香りという機能が付加された大形、中型又は小形のインテリア雑貨や葉書サイズのものも、置物本体１０として構成することが可能である。また、置物本体１０に、ゴムや糸、紐などを通す貫通孔を開ける必要はないので、そのような貫通孔によって置物本体１０のデザイン性や外観が損なわれることはない。
【００２８】
台座２０には、厚紙のほか、木製や樹脂製の板材などが用いられる。図例では台座２０に矩形の厚紙が採用されている。そして、この台座２０に上記した固定手段３０が具備されている。
【００２９】
図例の固定手段３０は、厚紙でなる台座２０の左右２箇所に切り起こされた一対の半円形状の立上り片３１，３１にスリット３２，３２を形成してなる。立上り片３１のスリット３２の幅は、上記した置物本体１０の厚さに合わせて定められている。そして、一対の立上り片３１，３１のスリット３２，３２に、置物本体１０の下側の端縁部１２を差し込むと、図２のように置物本体１０が台座２０の上で起立姿勢で保持固定される。
【００３０】
図２のように、台座２０の上で置物本体１０を起立姿勢で保持固定しておくと、台座２０を住宅の棚や玄関口などに置いても、置物本体１０がその置き場所に直接に接触することがない。そのため、長期間使用の後であっても、置物本体１０に含浸されている芳香剤などの液体が置き場所に染み出して置き場所を汚したり、置物本体１０の香りが置き場所に移ったりするという事態が起こらない。
【００３１】
置物本体１０による放香性は、一定の使用期間が過ぎると衰え、最終的には放香性が発揮されなくなるけれども、実施形態の置物本体１０は、それに施されている柄模様が装飾性を発揮するので、装飾用の置物としての使用を継続することが可能である。したがって、従来の吊下げタイプの放香性商品のように放香性が劣化した時点で廃棄処分せざるをえなくなる、という事情は存在しない。なお、この実施形態では、置物本体１０、固定手段３０を具備する台座２０が紙で作られているので、廃棄の必要が生じたときには、それらを燃えるゴミとして焼却処分することが可能である。
【００３２】
この実施形態では、置物本体１０が芳香成分を放出する事例を説明したけれども、置物本体１０が、室内や車内の臭気を吸収する機能を有していてもよく、前者の機能は、置物本体１０に芳香剤を含浸させておくことによって発揮され、後者の機能は、置物本体１０に脱臭剤を含浸させておくことによって発揮される。また、置物本体１０に、匂いによる害虫忌避機能を付与することも可能である。
【００３３】
以上説明したような本考案に係る放香性置物は、冒頭で説明した吊下げタイプの放香性商品とは異なり、置物本体１０や台座２０のサイズを、生産設備の許容限界範囲まで自由に選択展開することができるため、販路、売場、販売方法を含めた商品自体の企画や、その企画に合わせたデザインを柔軟に展開することが可能である。そのため、今までになかったような用途を生み出す可能性を多分に備えている。その結果、たとえばマーケットの拡大という経済発展効果を期待することもできる。たとえば、企業宣伝用として販促のためのＯＥＭ商材として活用することが可能である。また、自立型であることを利用して、建物や人物、動物、アニメキャラクターなどのデザインを置物本体１０に施し、観光地やテーマパークなどでレジ周りの少額商品としてのお土産企画にも利用することができる。さらに、インテリア・ステーショナリー・トイ雑貨として、グラフィックデザインの側面の強調した商品企画においても自由かつ柔軟な企画が可能になる。
【００３４】
また、吊下げタイプの放香性商品とは異なり、消費者にカー用品であるというイメージを持たせずに済むので、使用場所の範囲が増加し、カー用品としての使用以外の用途を考慮してデザインや使用目的の自由度を著しく拡大させることに役立つ。
【００３５】
さらに、置物本体１０が平板状であり、固定手段３０としての立上り片３１が、平板状の台座２０に切起し形成したものであるので、置物本体１０や固定手段３０を具備する台座２０の在庫スペースが狭くて済むという利点がある。この利点は、当該放香性置物がそのライフサイクルに期間の存在する商品であることを勘案すると、非常に大きなメリットとなる。
【００３６】
ところで、図１及び図２を参照して説明した実施形態の放香性置物を店頭で陳列して販売するときには、置物本体１０と固定手段３０を具備する台座２０とを１つにまとめて陳列することが有益である。そこで、陳列方法として一般的に考えられることは、置物本体１０と固定手段３０を具備する台座２０とを１つのパッケージに封入し、そのパッケージを陳列棚に並べるという方法であるということが云える。
【００３７】
ところが、置物本体１０に芳香剤などが含浸されているものでは、その芳香剤が染み出して台座２０に移ったり台座２０を汚したりすることが懸念される。そこで、陳列のための商品形態としては、置物本体１０だけをパッケージに封入して外部への成分放出を防ぎ、そのパッケージの外側に台座２０を重ね合わせた形態を採用することも考えられる。しかしながら、台座２０のサイズを、置物本体１０に比べて格段に大きくすることが好ましくないので、置物本体１０のサイズによっては、台座２０が小さくなり過ぎて陳列商品の外観が損なわれることも懸念される。
【００３８】
以上の状況の下で、実施形態に係る放香性置物を商品として陳列する場合の形態として、図３に示した形態を採用している。図３は商品陳列形態の概略側面図である。
【００３９】
図３において、４０は置物本体１０を封入しているパッケージであり、このパッケージによって置物本体１０の芳香成分が外部に流出しないようになっている。このパッケージ４０の片側に、図４に示したような厚紙でなる矩形短冊型の細長い台紙５０を重なり状に配備してあり、台紙５０の有効長は、パッケージ４０の長さと略同等に定めてある。なお、台紙５０はその上端部を前側に折返してパッケージ４０の封入縁に重ね合わせてあると共に、台紙５０の上部に孔部５１を形成してある。したがって、図３のようにその孔部５１を陳列棚の吊具６０に嵌めて吊り下げ状態で陳列することが可能である。
【００４０】
この陳列形態によると、台紙５０がパッケージ４０の長さと略同等になっているので、置物本体１０に比べて台座２０が小さくなり過ぎて陳列商品の外観が損なわれることはない。
【００４１】
このような商品では、台紙５０の一部を切り取って台座２０を形成することができるように工夫してある。すなわち、図４のように、台紙５０の下端部にミシン目でなる切取り線５２を入れ、その切取り線５２と台紙５０の下端縁との間の部分を台座２０として利用することができるようになっている。したがって、切取り線５２と台紙５０の下端縁との間の部分には、左右対称な位置に半円形状の切り目５３，５３を付け、その切り目５３，５３で囲まれた箇所に上記したスリット３２，３２を形成するための切り目５４を付けている。
【００４２】
この陳列形態を採用しておくと、消費者が商品を購入した後、台紙５０から分離したパッケージ４０を開いて置物本体１０を取り出すことと、台紙５０の切取り線５２を切り離して台座２０を切り取り、その台座２０の切り目５３を利用して立上り片３１を切り起こし、さらに、切り目５４を利用してスリット３２を形成することと、を行った後、スリット３２に置物本体１０を差し込む、という作業を行うことによって、図２に示した放香性置物が組み立てられる。
【００４３】
この実施形態では、台座２０の２箇所を切り起こすことによって、固定手段３０としての立上り片３１を形成しているけれども、固定手段にはこれ以外の構成を採用することも可能である。たとえば、台座２０を山形に折り曲げてその所定箇所にスリットを形成しておいてもよい。また、置物本体は台座の上で垂直な起立姿勢に保持固定されるものであっても、傾斜した起立姿勢で保持固定されるものであってもよい。
【符号の説明】
【００４４】
１０  置物本体
２０  台座
３０  固定手段
３１  立上り片
３２  スリット
４０  パッケージ
５０  台紙
【図１】
0003190959.tif 000003
【図２】
0003190959.tif 000004
【図３】
0003190959.tif 000005
【図４】
0003190959.tif 000006